(57)【特許請求の範囲】
【請求項１】
平面視矩形状をなして上面に機器が載置される鋼製の載置板と、
この載置板を下方から支持する防振ゴムと、
この防振ゴムが上面に設置された鋼製の固定板と、
この固定板に設置されたロック機構と、を備え、
このロック機構は、
前記固定板に基端部が回動可能に保持され、一の方向へ回動した際に前記固定板に対して当接する係合部が側面の一部に形成された平板材と、
この平板材の前記係合部が前記固定板に当接した場合に、外周面が前記載置板の下面に接触した状態で前記防振ゴムの代わりに前記載置板を支持するように前記平板材に設けられた円筒状の受け部と、からなり、
前記平板材は、
前記係合部が前記固定板に当接した場合にのみ、前記一の方向への回動が抑制されて前記受け部を介して前記載置板を下方から支持可能に形成されていることを特徴とする免振装置。
【請求項２】
前記載置板は、
上面に前記機器が載置される矩形状の載置部と、
この載置部と直交するように、その幅方向の両端縁からそれぞれ延設され細長い矩形状をなす一対の接続部と、
前記防振ゴムを取り付けるための取付部と、からなり、
この取付部は、
前記載置部と平行をなし、かつ、平面視した場合に前記載置部の両側に配置されるように一対の前記接続部の端縁からそれぞれ延設され細長い矩形状をなしていることを特徴とする請求項１に記載の免振装置。
【請求項３】
前記固定板は、一対の細長い矩形状部材からなり、前記載置板の両端縁に対してそれぞれ平行に設置されたことを特徴とする請求項１又は請求項２に記載の免振装置。
【請求項４】
前記受け部は、軸部を有するとともにニードルベアリングが内部に組み込まれたカムフォロアからなり、前記平板材によって前記軸部が回動可能に保持されることを特徴とする請求項１乃至請求項３のいずれか１項に記載の免振装置。
【請求項５】
両端にシャフト挿通孔を有する長尺板状のリンク部材を備え、
前記平板材は、前記シャフト挿通孔に前記カムフォロアの前記軸部が挿通されるようにして、前記リンク部材を介して互いに揺動可能に連結される一対のカムプレートからなることを特徴とする請求項４に記載の免振装置。
【請求項６】
前記平板材は、水平に設置されている前記固定板に前記係合部が当接した際に、その回動中心と前記カムフォロアの回動中心を結ぶ直線が鉛直方向に対して傾斜するように前記固定板に設置されたことを特徴とする請求項４又は請求項５に記載の免振装置。
【請求項７】
サービスを供用するための機器が荷室に搭載され、車体の後面又は側面の少なくともいずれか一方に出入口が設けられた移動店舗車において、
請求項１乃至請求項６のいずれか１項に記載の免振装置が前記荷室の床面に設置されたことを特徴とする移動店舗車。
【発明の詳細な説明】
【技術分野】
【０００１】
本発明は、トラックの荷台を金融機関の店舗として使用する移動店舗車に係り、特に、現金自動預払機（以下、ＡＴＭという。）を搭載するための免振装置を備えた移動店舗車に関する。
【背景技術】
【０００２】
地震や津波等の大規模な災害によって金融機関の建物が破壊されると、金融機関は業務の継続が困難となる。しかし、緊急時に金融機関のサービスが停止すると、災害が発生した地域に住む利用者は多大な不便を強いられることになる。このような課題を解決するものとして、各種の窓口業務ができるように窓口カウンターや専用端末あるいはＡＴＭ等が搭載された車両及びそれらの車両への搭載を可能にするための免振装置が注目されている。そして、そのような車両や免振装置に関して、近年、様々な研究や開発が行われており、既に幾つかの発明や考案が開示されている。
【０００３】
例えば、本願の出願人自身の出願による特許文献１には、「移動店舗車」という名称で、ＡＴＭが荷室に搭載された車両に関する発明が開示されている。
特許文献１に開示された発明は、内部に供給された空気量に応じてばね定数が変わる空気ばねと、この空気ばねに対して空気の供給又は排出を行う給排気手段と、空気ばねを介して互いに結合される鋼製の上フレーム及び下フレームと、この上フレームと下フレームを揺動自在に連結する連結手段と、を備えており、サービスを供用するための機器が上フレームの上面に固設されるとともに、下フレームが車体に固定された構造となっている。
このような構造によれば、路面の凹凸等が原因で走行時に車体が振動した場合でも、その振動の伝搬を抑制してサービスを供用するための機器の故障を防ぐことができる。
【０００４】
また、特許文献２には、「輸送用除振装置」という名称で、輸送物品の積載作業が容易であって、上下方向と水平方向に対する振動を低減することができる安価な装置に関する発明が開示されている。
特許文献２に開示された発明は、基台上で、オリフィス径を自在に調整できるバルブを備えたエアダンパと空気ばねが並列に配設された上下方向防振手段と、上下方向にゴム層と金属板が積層された積層ゴムと、この積層ゴムに支持される部分が水平方向に関して所定の間隔をあけて当接可能に対向配設されたエアダンパからなる水平方向防振手段が直列に組合わされた状態で荷台を支持する構造となっている。
このような構造によれば、振幅が小さい水平方向の振動については積層ゴムによって低減され、振幅の大きい上下方向の振動についてはエアダンパによって低減されるという作用が発揮される。
【０００５】
さらに、特許文献３には、「輸送用防振パレット」という名称で、輸送時に精密機器類を外部振動から守るためのパレットに関する考案が開示されている。
特許文献３に開示された考案は、格子状の支持桟を有する枠体からなる上下デッキと、この上下デッキに連結された状態でその間の四隅に配置されるベローズ形空気ばねと、このベローズ形空気ばねの近傍に設けられる捩じり止めを備えた構造となっている。
このような構造によれば、エアサスペンションを備えていない一般の車両に対しても搭載できるため、輸送コストの低減を図ることが可能である。
【先行技術文献】
【特許文献】
【０００６】
【特許文献１】特許第５６８７１６８号公報
【特許文献２】特許第３０４７４０６号公報
【特許文献３】登録実用新案第３０４８９２８号公報
【発明の概要】
【発明が解決しようとする課題】
【０００７】
特許文献１に開示された発明においては、車体全体をエアサスペンション構造にする場合と比べれば、軽量化や製造コストの削減が可能になるなどのメリットがあるものの、比較的小型で軽量構造の機器を搭載する場合には、割高になる可能性がある。さらに、この発明では、空気ばねの内部から空気を排出することで免振機能が解除されるが、空気ばねの代わりに防振ゴム等を用いた場合、免振機能を解除できないため、免振装置から機器を撤去する際に、免振装置の載置面と周囲の床面の間に段差が生じ、その結果、当該機器の撤去が困難になるおそれがある。
【０００８】
また、特許文献２に開示された発明や特許文献３に開示された考案においても、空気ばねが必須の構成要素となっていることから、搭載する機器が小型で軽量構造であっても製造コストの削減を図ることができないという課題があった。また、空気ばねの代わりに防振ゴム等を用いた場合には免振機能を解除できないため、特許文献１に開示された発明の場合と同様に、搭載した機器を容易に撤去できない可能性がある。
【０００９】
本発明は、このような従来の事情に対処してなされたものであり、製造コストが安く、機器の設置や撤去を行う際の作業性に優れ、特に、小型で軽量構造の機器の輸送に適した免振装置とそれが荷室に設置された移動店舗車を提供することを目的とする。
【課題を解決するための手段】
【００１０】
上記目的を達成するため、第１の発明である免振装置は、平面視矩形状をなして上面に機器が載置される鋼製の載置板と、この載置板を下方から支持する防振ゴムと、この防振ゴムが上面に設置された鋼製の固定板と、この固定板に設置されたロック機構と、を備え、このロック機構は、固定板に基端部が回動可能に保持され、一の方向へ回動した際に固定板に対して当接する係合部が側面の一部に形成された平板材と、この平板材に設けられた受け部と、からなり、平板材は、係合部が固定板に当接した場合にのみ、一の方向への回動が抑制されて受け部を介して載置板を下方から支持可能に形成されたことを特徴とするものである。
【００１１】
このような構造の免振装置においては、平板材の基端部が固定板によって回動可能に保持された状態で一の方向へ回動し、平板材の係合部が固定板に当接すると、載置板の上面に載置された機器の荷重が載置板の荷重とともに平板材によって支持され、防振ゴムによる免振機能が発揮されなくなるという作用を有する。
また、空気ばねを用いないため、構造が簡単で、製造コストが安いという作用を有する。
【００１２】
また、第２の発明は、第１の発明において、載置板は、上面に前記機器が載置される矩形状の載置部と、この載置部と直交するように、その幅方向の両端縁からそれぞれ延設され細長い矩形状をなす一対の接続部と、載置部と平行をなし、かつ、平面視した場合に載置部の両側に配置されるように一対の接続部の端縁からそれぞれ延設され細長い矩形状をなす一対の取付部からなることを特徴とするものである。
このような構造であれば、固定板の下面と載置部の上面との距離が短いため、例えば、床面に窪みを設けて、その内部に固定板を設置する場合に、窪みを深く形成する必要がない。すなわち、第２の発明においては、第１の発明の作用に加えて、載置部の上面を固定板が設置される床面の高さに合わせ易いという作用を有する。
【００１３】
第３の発明は、第１の発明又は第２の発明において、固定板は、一対の細長い矩形状部材からなり、載置板の両端縁に対してそれぞれ平行に設置されたことを特徴とするものである。
第３の発明においては、載置板の取付部の下の空間に固定板と防振ゴムとロック機構が配置され、全体がさらにシンプルな構造となることから、第１の発明又は第２の発明の作用に加えて、車両等への設置作業が容易になるという作用を有する。
【００１４】
第４の発明は、第１の発明乃至第３の発明のいずれかにおいて、受け部は、軸部を有するとともにニードルベアリングが内部に組み込まれたカムフォロアからなり、平板材によって軸部が回動可能に保持されることを特徴とするものである。
第４の発明においては、第１の発明乃至第３の発明の作用に加え、平板材を回動する際に受け具と載置板の間に発生する摩擦力が小さく抑えられるという作用を有する。
【００１５】
第５の発明は、第４の発明において、両端にシャフト挿通孔を有する長尺板状のリンク部材を備え、平板材は、シャフト挿通孔にカムフォロアの軸部が挿通されるようにして、リンク部材を介して互いに揺動可能に連結される一対のカムプレートからなることを特徴とするものである。
このような構造の免振装置においては、第４の発明の作用に加え、載置板とその上面に載置された機器の荷重が２枚の平板材に分散されるという作用を有する。
【００１６】
第６の発明は、第４の発明又は第５の発明において、水平に設置されている固定板に係合部が当接した際に、その回動中心とカムフォロアの回動中心を結ぶ直線が鉛直方向に対して傾斜するように固定板に設置されたことを特徴とするものである。
このような構造の免振装置においては、第４の発明又は第５の発明の作用に加え、平板材の係合部が固定板に当接している場合に、載置板とその上面に載置された機器の荷重により、固定板に対して係合具がさらに押し付けられるという作用を有する。
【００１７】
第７の発明は、サービスを供用するための機器が荷室に搭載され、車体の後面又は側面の少なくともいずれか一方に出入口が設けられた移動店舗車において、第１の発明乃至第６の発明のいずれかに係る免振装置が荷室の床面に設置されたことを特徴とするものである。
このような構造の移動店舗車においては、第１の発明乃至第６の発明のいずれかに係る免振装置の作用が小型で軽量構造の機器を輸送する際に発揮される。
【発明の効果】
【００１８】
以上説明したように、第１の発明によれば、載置板の上面に載置された機器の保守点検を行う際に、免振機能を解除することで、当該機器の荷重によって防振ゴムが圧縮されることに伴って載置板が下降し、その上面と周囲の床面の間に段差が生じてしまうという事態を防ぐことができる。したがって、当該機器の撤去や設置を行う際の作業性に優れている。また、安価に製造することが可能である。
【００１９】
第２の発明によれば、安価に製造できるという第１の発明の効果に加え、設置に要するコストが削減されるという効果を奏する。
【００２０】
第３の発明によれば、設置に要するコストが削減されるという第２の発明の効果がより一層発揮される。
【００２１】
第４の発明によれば、第１の発明乃至第３の発明の効果に加え、ロック機構の操作性が向上するという効果を奏する。
【００２２】
第５の発明によれば、平板材を回動する際に受け具と載置板の間に発生する摩擦力が第４の発明の場合よりもさらに小さくなるため、ロック機構の操作性が向上するという第４の発明の効果がより一層発揮される。
【００２３】
第６の発明によれば、第４の発明又は第５の発明の効果に加え、ロック機構の機能が勝手に解除されて、急に免振機能が発揮されるという事態が起こり難いため、使用時の安全性が高いという効果を奏する。
【００２４】
第７の発明によれば、小型で軽量構造の機器の輸送に適した移動店舗車が容易に実現されるという効果を奏する。
【図面の簡単な説明】
【００２５】
【図１】（ａ）及び（ｂ）はそれぞれ本発明の実施の形態に係る移動店舗車の実施例の正面図及び平面図である。
【図２】（ａ）及び（ｂ）は本実施例の移動店舗車の背面図である。
【図３】（ａ）及び（ｂ）はそれぞれ本発明の実施の形態に係る免振装置の平面図及び側面図である。
【図４】（ａ）は図３（ａ）のＡ方向矢視図であり、（ｂ）は図３（ｂ）におけるＢ−Ｂ線矢視断面の一部を拡大した図であり、（ｃ）は図３（ｂ）に示したＣ部の拡大図である。
【図５】（ａ）及び（ｂ）と（ｃ）及び（ｄ）はそれぞれ操作レバー及びカムプレートの正面図と側面図であり、（ｅ）乃至（ｈ）はそれぞれシャフトの側面図、カラーの正面図、カムフォロアの側面図及びリンク部材の側面図である。
【図６】（ａ）及び（ｂ）はロック機構の動作を説明するための模式図である。
【図７】（ａ）及び（ｂ）は図３（ａ）におけるＤ−Ｄ線矢視断面図である。
【発明を実施するための形態】
【００２６】
本発明の実施の形態に係る移動店舗車は、窓口業務に必要な端末、カウンター、ＡＴＭ等が搭載されており、被災地や交通不便な地域において銀行の臨時店舗として使用されるものである。以下、本発明に係る移動店舗車とその荷室に設置される免振装置について図１及び図２と図３乃至図７を用いてそれぞれ説明する。
なお、以下の説明では、運転席から遠い側を後部というものとする。
【実施例】
【００２７】
図１（ａ）及び図１（ｂ）と図２（ｂ）は後部扉を開放して階段を引き出した状態を示している。また、図２（ａ）は階段を収納して後部扉を閉じた状態を示している。なお、図１（ｂ）では荷室の天井パネルの図示を省略するとともに後部扉を破線で示し、図２（ｂ）では後部扉の図示を省略している。
図１及び図２に示すように、本発明の移動店舗車は、トラック１の荷台に構築された荷室２を店舗として使用するものであり、荷室２の下部の前後４箇所には車体フレーム１ｂを支持するための電動油圧式アウトリガ１ａが設置されている。また、荷室２の後面には後部扉３ａが設けられ、後部扉３ａの内側には引き違い扉３ｂが設けられている。
なお、後部扉３ａは上方向に跳ね上げるようにして開かれる「跳ね上げ扉」であって、荷室２の後部出入口５の上部に一端を回動自在に取り付けられており、開く方向へ油圧スプリング４によって付勢されている。そして、後部扉３ａは図示しない駆動手段で油圧スプリング４を駆動することにより開閉され、荷室２の後部出入口５は２枚の扉からなる引き違い扉３ｂを車幅方向に対して平行に移動させることにより開閉される。
【００２８】
荷室２の後部出入口５には、アルミニウム製の階段６が設置されている。なお、階段６には、平面視矩形状をなす複数の踏板７の両側に側板８，８が取り付けられるとともに、ステンレス製のパイプ材からなる手摺９が側板８に対して平行に取り付けられている。
階段６は、荷室２の後部出入口５の床面２ｂに上端部を支点として上下方向に回動自在に取り付けられ、油圧で駆動されて回動する構造となっている。そして、階段６は、トラック１が走行する際に邪魔にならないように後部扉３ａと引き違い扉３ｂの間に倒立姿勢で収納されている。
【００２９】
荷室２の天井パネル２ｃには換気扇１０が取り付けられ、荷室２の前面の上部には空調機用室外機１１が設置されている。また、荷室２の側面パネル２ｄには引き違い窓１２が設けられている。
さらに、カウンター１５によって荷室２の内部は利用客が後部出入口５から出入り可能に設けられる接客エリア１３と、乗員が執務を行う執務エリア１４に区画されており、カウンター１５の上部には、天井パネル２ｃとの間を閉塞するように透明な仕切り板１６ａと不透明な仕切り板１６ｂが立設されている。
【００３０】
執務エリア１４には、空調機１７ａが後方に設置されるとともに、ＡＴＭを搭載するための免振装置１８と乗員用椅子１９が床面２ｂに設置されている。また、接客エリア１３には、床面２ｂに長椅子２０が設置されるとともに、前方の天井パネル２ｃに収納部２１が設置されており、側面パネル２ａの上部後方に空調機１７ｂが設置されている。
【００３１】
このような構造の移動店舗車によれば、接客エリア１３とＡＴＭが設置された執務エリア１４を備えているため、銀行などの金融機関の臨時店舗としてＡＴＭ等を利用した窓口業務等のサービスを利用客に提供することができる。
【００３２】
次に、免振装置１８の構造について図３乃至図７を用いて説明する。
図３（ａ）及び図３（ｂ）はそれぞれ免振装置の平面図及び側面図である。また、図４（ａ）は図３（ａ）のＡ方向矢視図であり、図４（ｂ）は図３（ｂ）におけるＢ−Ｂ線矢視断面の一部を拡大した図であり、図４（ｃ）は図３（ｂ）に示したＣ部の拡大図である。
なお、図３及び図４はいずれも免振機能が解除された状態を示しており、図４（ｂ）は図４（ａ）を左に９０度回転させた状態の一部を表している。また、図３（ａ）ではリンク部材やカムプレート及び床面の図示を省略している。
【００３３】
図５（ａ）及び図５（ｂ）はそれぞれ操作レバーの正面図及び側面図であり、図５（ｃ）及び図５（ｄ）はそれぞれカムプレートの正面図及び側面図である。また、図５（ｅ）はシャフトの側面図であり、図５（ｆ）はカラーの正面図であり、図５（ｇ）はカムフォロアの側面図であり、図５（ｈ）はリンク部材の側面図である。
なお、図５（ｅ）及び図５（ｆ）は、図５（ａ）乃至図５（ｄ）と図５（ｇ）及び図５（ｈ）よりも拡大された状態で示されている。
【００３４】
図３（ａ）及び図３（ｂ）に示すように、免振装置１８は、平面視矩形状をなし、上面にＡＴＭが載置される鋼製の載置板２８と、この載置板２８を下方から支持する防振ゴム２９と、上面に防振ゴム２９が設置される鋼製の固定板３０と、この固定板３０に設置されるロック機構３１を備えており、例えば、床面３５に設けられた窪みの内部に、載置板２８のＡＴＭが設置される箇所の上面２８ａが床面３５と面一となるように設置された状態で使用されるものである。
【００３５】
載置板２８には、その幅方向と平行に、平面視した場合に細長い矩形状をなす一対の補強板３４，３４が取り付けられている。また、載置板２８の幅方向の両端に設けられた一対の取付部３３ｃ，３３ｃには、補強板３４，３４の間に、両端が円弧状をなす長穴２８ｄが、載置板２８の長さ方向に沿って細長く形成されている。さらに、接続部３３ｂ，３３ｂの外面２８ｃ，２８ｃ（図４（ｂ）参照）には、側面視「コ」の字状をなす係止部３２ａ，３２ａが下方へ開口するようにそれぞれ設けられている。
【００３６】
図４（ａ）に示すように、載置板２８は、矩形状の載置部３３ａと、この載置部３３ａと直交するように、その幅方向の両端縁からそれぞれ延設され細長い矩形状をなす一対の接続部３３ｂ，３３ｂと、載置部３３ａと平行をなし、かつ、平面視した場合に載置部３３ａの両側に配置されるように接続部３３ｂ，３３ｂの端縁からそれぞれ延設される細長い矩形状の一対の取付部３３ｃ，３３ｃからなる。そして、載置板２８の下面２８ｂには、その形状に沿うように補強板３４，３４が取り付けられている。
【００３７】
固定板３０，３０は、載置板２８の長さ方向と平行に取付部３３ｃ，３３ｃの直下にそれぞれ配置されており、それらの上面には、側面視「コ」の字状をなし、係止部３２ａに対して係止可能に配置される係止具３２ｂが上方に開口した状態でネジ留めされるとともに、一対の防振ゴム２９，２９がボルト留めされている。
なお、防振ゴム２９は、上面にボルト２９ａ（図３（ａ）参照）が立設されており、取付部３３ｃと補強板３４にそれぞれ連通するように設けられた貫通孔（図示せず）に対し、ボルト２９ａを挿通可能に配置されている。そして、ボルト２９ａにナット２９ｂを締結するようにして載置板２８と補強板３４に取り付けられている。すなわち、防振ゴム２９は、補強板３４を間に挟んだ状態で載置板２８の取付部３３ｃを下方から支持可能に配置され、補強板３４及び載置板２８と固定板３０に対してそれぞれ移動不能に固定されている。
【００３８】
図４（ｂ）及び図４（ｃ）と図５（ａ）乃至図５（ｈ）に示すように、ロック機構３１は、上端にノブ２２ａが取り付けられた棒状体２２ｂと、この棒状体２２ｂの下端近傍の側面に上部が固設された平板材からなるカムプレート２３ａによって構成される操作レバー２２と、この操作レバー２２に対し載置板２８の長さ方向へ所定の間隔を空けて設置される平板材からなるカムプレート２３ｂと、カムプレート２３ａ，２３ｂを連結するリンク部材２７と、カムプレート２３ａ，２３ｂにそれぞれ取り付けられるカムフォロア２６及びシャフト２４と、カムフォロア２６に取り付けられるカラー２５、バネ座金３６ａ及びナット３６ｂを備えた構造となっている。
【００３９】
カムプレート２３ａ，２３ｂの基端部には、シャフト２４の挿通孔３７ａが設けられており、固定板３０には、シャフト２４の両端を挿通孔３７ａに挿通された状態で回動可能に保持する一対の支持板３８，３８が立設されている。すなわち、カムプレート２３ａ，２３ｂは、基端部が固定板３０によって回動可能に保持されており、挿通孔３６ａに挿通されたシャフト２４を中心として揺動可能な構造となっている。
【００４０】
また、カムプレート２３ａ，２３ｂは、カムフォロア２６の軸部２６ａ（図５（ｇ）参照）の挿通孔３７ｂが挿通孔３７ａから所定の距離に設けられるとともに、基端部が固定板３０によって回動可能に保持された状態で、一方へ回動した際に固定板３０に当接して、その回動を抑制するように係合部３９が基端部近傍の側面に形成されている。
カムフォロア２６は、カラー２５が外挿された状態でリンク部材２７の挿通孔２７ａ（図５（ｈ）参照）に挿通された軸部２６ａが挿通孔３７ｂに挿通され、さらに、挿通孔３７ｂから突出した軸部２６ａの先端にバネ座金３６ａを介してナット３６ｂが締結されるようにして、カムプレート２３ａ，２３ｂに対してそれぞれ取り付けられている。
【００４１】
図６（ａ）及び図６（ｂ）はロック機構３１の動作を説明するための模式図であり、図３（ｂ）においてロック機構３１を載置板２８の接続部３３ｂ側から見た状態を表している。また、図７（ａ）及び図７（ｂ）は図３（ａ）におけるＤ−Ｄ線矢視断面図である。なお、図７（ｂ）は図７（ａ）において操作レバー２２が操作された状態を表し、図６（ａ）は図７（ａ）におけるロック機構３１の状態を表している。
【００４２】
図６（ａ）に示すように、カムプレート２３ａ，２３ｂは、挿通孔３７ａ，３７ｂの中心間の距離が等しく、かつ、基端部が固定板３０によって回動可能に保持された状態で一方へ回動した際に係合部３９が固定板３０に当接するとともに、この状態で挿通孔３７ａ，３７ｂの中心同士を結ぶ直線の鉛直方向に対してなす角度が互いに等しくなるように形成されている。
なお、免振装置１８は、この状態において、固定板３０の下面３０ａから載置板２８の載置部３３ａの上面２８ａまでの距離Ｌ１（図４（ｃ）参照）が床面３５に設けられた窪みの深さｈ（図４（ｃ）参照）と等しくなるように構成されている。
【００４３】
図６（ａ）及び図６（ｂ）に示した状態では、カムフォロア２６の外周面２６ｂと取付部３３ｃの下面２８ｂが接触しているため、載置板２８の荷重はカムフォロア２６に加わる。ただし、図６（ａ）に示すように、係合部３９が固定板３０に当接している場合には、カムプレート２３ａ，２３ｂにおいて挿通孔３７ａ，３７ｂ（図５（ａ）及び図５（ｃ）参照）の中心同士を結ぶ直線が鉛直方向に対して傾斜していることから、カムフォロア２６に加わる載置板２８の荷重によって、カムプレート２３ａ，２３ｂを矢印Ｅの方向へ回動させようとするトルクが発生する。
【００４４】
ただし、係合部３９が固定板３０に当接しているため、カムプレート２３ａ，２３ｂが矢印Ｅの方向へ回動することはない。この場合、載置板２８の荷重は、防振ゴム２９の代わりに、カムプレート２３ａ，２３ｂによって支持される。したがって、図７（ａ）に示した状態では、載置板２８の載置部３３ａの上面２８ａ（図４（ｃ）参照）にＡＴＭが載置されていたとしても、ＡＴＭや載置板２８の荷重が防振ゴム２９によって支持されることはない。
このようにして、免震装置１８の免振機能が解除された場合、ＡＴＭや載置板２８の荷重を受けて防振ゴム２９が圧縮することはないため、載置板２８が下降して、載置部３３ａの上面２８ａと床面３５の間に段差が生じ、載置板２８からのＡＴＭの撤去が困難になるというような不具合は発生し得ない。したがって、免震装置１８は、載置板２８に載置された機器の撤去や設置を行う際の作業性に優れている。
【００４５】
上述したように、図６（ａ）に示した状態では、カムプレート２３ａ，２３ｂを矢印Ｅの方向へ回動させようとするトルクが常に発生しているため、矢印Ｅの方向とは逆の方向へカムプレート２３ａ，２３ｂが勝手に回動することはない。すなわち、免震装置１８では、ロック機構３１の機能が解除されて、免震装置１８の免振機能が急に発揮されるという事態が起こり難いため、使用時の安全性が高い。
【００４６】
なお、操作レバー２２を操作すれば、次のようにして再び免振装置１８の免振機能を発揮させることができる。
まず、操作レバー２２のノブ２２ａを握って、カムプレート２３ａを矢印Ｅの方向とは逆の方向へ回動させる。これにより、リンク部材２７を介してカムプレート２３ａに連結されたカムプレート２３ｂも、カムプレート２３ａに連動して、カムプレート２３ａと同じ角度だけ回動する。そして、例えば、挿通孔３７ａ，３７ｂの中心同士を結ぶ直線が鉛直方向と平行になるまでカムプレート２３ａ，２３ｂを回動させると、図６（ｂ）に示した状態になる。
【００４７】
図６（ｂ）に示した状態において、操作レバー２２を操作して、載置板２８の取付部３３ｃの下面２８ｂからカムフォロア２６の外周面２６ｂが離れるまでカムプレート２３ａ，２３ｂを矢印Ｅの方向とは逆の方向へさらに回動させると、例えば、図７（ｂ）に示したような状態になる。この場合、載置板２８の荷重はカムプレート２３ａ，２３ｂではなく、防振ゴム２９によって支持される。したがって、図７（ｂ）に示した状態では、載置部３３ａの上面２８ａにＡＴＭが載置されていると、それらの荷重は防振ゴム２９に加わるため、免震装置１８の免振機能が発揮されることになる。
【００４８】
以上説明したように、本発明の免震装置１８においては、空気ばねを用いないため、構造が簡単であり、安価に製造することができる。また、載置板２８とその上面２８ａに載置された機器の荷重が２枚のカムプレート２３ａ，２３ｂに分散され、カムフォロア２６と載置板２８の間に発生する摩擦力が小さく抑えられるため、ロック機構３１の操作性が良い。
そして、このような免振装置１８が荷室２に設置された移動店舗車は、小型で軽量構造の機器の輸送に適するという効果を有している。
【００４９】
なお、本発明の移動店舗車は本実施例に示した構造に限定されるものではなく、適宜変更可能である。例えば、免震装置１８において、接続部３３ｂ，３３ｂを設けずに載置板２８を載置部３３ａの幅方向の両端縁から取付部３３ｃ，３３ｃが延設された構造としても良い。ただし、載置板２８が本実施例で示したような構造であれば、固定板３０の下面３０ａと載置部３３ａの上面２８ａとの距離が短いため、固定板３０を設置するために床面３５に深い窪みを設ける必要がない。すなわち、載置部２８の上面２８ａを床面３５の高さに合わせ易いというメリットがある。
【００５０】
また、一対の固定板３０，３０を載置板２８とほぼ同じ大きさの一枚の板とすることもできる。ただし、本実施例で示したような構造であれば、載置板２８の取付部３３ｃ，３３ｃの下の空間に固定板３０と防振ゴム２９とロック機構３１が配置され、全体がシンプルな構造となるため、車両等への設置作業が容易になる。したがって、当該作業に要するコストが削減される。
【００５１】
さらに、カムプレート２３ａ，２３ｂにカムフォロア２６を取り付ける代わりに、載置板２８の取付部３３ｃの下面２８ｂを支持可能に突状の受け部をカムプレート２３ａ，２３ｂに設けた構造とすることもできる。ただし、本実施例に示したような構造にすれば、カムプレート２３ａ，２３ｂを回動する際にカムフォロア２６と載置板２８の間に発生する摩擦力が小さく抑えられるため、ロック機構３１の操作性が向上するという効果が発揮される。
【００５２】
また、免振装置１８は、移動店舗車に搭載する代わりに、建物の床面等に固定した状態で単独で使用することもできる。さらに、移動店舗車については、出入口が車体の後面だけでなく、後面と側面の両方若しくは側面だけに設けられた構造であっても良い。  
【産業上の利用可能性】
【００５３】
請求項１乃至請求項７に記載された発明は、ＡＴＭ等のサービスを供用するための精密な機器を搭載し、荷室を店舗として利用する形態の移動店舗車全般に対して適用可能である。
【符号の説明】
【００５４】
１…トラック  １ａ…電動油圧式アウトリガ  １ｂ…車体フレーム  ２…荷室  ２ａ…側面パネル  ２ｂ…床面  ２ｃ…天井パネル  ２ｄ…側面パネル  ３ａ…後部扉  ３ｂ…引き違い扉  ４…油圧スプリング  ５…後部出入口  ６…階段  ７…踏板  ８…側板  ９…手摺  １０…換気扇  １１…空調機用室外機  １２…引き違い窓  １３…接客エリア  １４…執務エリア  １５…カウンター  １６ａ，１６ｂ…仕切り板  １７ａ，１７ｂ…空調機  １８…免振装置  １９…乗員用椅子  ２０…長椅子  ２１…収納部  ２２…操作レバー  ２２ａ…ノブ  ２２ｂ…棒状体  ２３ａ，２３ｂ…カムプレート  ２４…シャフト  ２５…カラー  ２６…カムフォロア  ２６ａ…軸部  ２６ｂ…外周面  ２７…リンク部材  ２８…載置板  ２８ａ…上面  ２８ｂ…下面  ２８ｃ…外面  ２８ｄ…長穴  ２９…防振ゴム  ２９ａ…ボルト  ２９ｂ…ナット  ３０…固定板  ３０ａ…下面  ３１…ロック機構  ３２ａ…係止部  ３２ｂ…係止具  ３３ａ…載置部  ３３ｂ…接続部  ３３ｃ…取付部  ３４…補強板  ３５…床面  ３６ａ…バネ座金  ３６ｂ…ナット  ３７ａ，３７ｂ…挿通孔  ３８…支持板  ３９…係合部  
【図１】
0006392265.tif 000002
【図２】
0006392265.tif 000003
【図３】
0006392265.tif 000004
【図４】
0006392265.tif 000005
【図５】
0006392265.tif 000006
【図６】
0006392265.tif 000007
【図７】
0006392265.tif 000008